(57)【要約】【課題】テレビジョン受像機での視聴において、視聴条件を守らない時は視聴を制限する機能を持つテレビジョン受像機を提供することを目的とする。【解決手段】テレビジョン受像機１の前面において赤外線センサから構成される人位置検出部２を設け、人体からの赤外線を検出し、制御装置４に人の位置の情報を伝える。また、光センサから構成される光検出部３を設け、部屋の明るさを検出し制御装置４に部屋の明るさの情報を伝える。制御装置４は上記の情報に基づいて、近距離や暗い部屋での視聴を制限することができるようにする。【選択図】　図１
2004120049.tif 000002
【特許請求の範囲】
【請求項１】
テレビジョン受像機での視聴において、視聴者の距離を検出する装置と部屋の明るさを検出する装置を備え、近距離や暗い部屋で視聴している時に視聴の制限を行う様に構成したテレビジョン受像機。
【請求項２】
テレビジョン受像機での視聴において、人の位置を検出することが可能な人位置検出部を有し、部屋の明るさを検出することが可能な光検出部を有し、かつ人位置検出部の情報と光検出部の情報を判断し電源オフすることにより視聴の制限を行う制御装置を設けた請求項１記載のテレビジョン受像機。
【請求項３】
制御装置が電源オフする前に視聴者に警告を行うことを特徴とする請求項２記載のテレビジョン受像機。
【請求項４】
制御装置の電源オフ動作の可否を視聴者が任意に切り換え可能である請求項２または請求項３記載のテレビジョン受像機。
【請求項５】
制御装置の電源オフの動作を映像の表示を行わなくする動作とする請求項２または請求項３または請求項４記載のテレビジョン受像機。
【発明の詳細な説明】
【０００１】
【発明の属する技術分野】
本発明はテレビジョン受像機に関するもので、テレビジョン受像機での視聴において、発病することがまれにある「てんかん」、「光過敏性発作」等の対策として放送事業者が警告している「テレビから離れて明るい部屋で見て下さい。」という視聴条件を守らない時は視聴を制限する機能を有するものに関する。
【０００２】
【従来の技術】
従来、視聴を制限する機能を有するテレビジョン受像機は例えば特許文献１に記載されたものが知られている。
【０００３】
【特許文献１】
特開２００１−３０６０４４号公報
【０００４】
【発明が解決しようとする課題】
しかしながら上記従来の構成では、リモートコントロール送信機からの受信信号により視聴者の位置のみを判断するものであり、リモートコントロール送信機から信号を送信しない時や部屋の明るさが暗い時に視聴の制限を行うことができないという問題点を有していた。
【０００５】
本発明は上記従来の問題点を解決するもので、視聴者が近距離や暗い部屋で視聴していると判断したとき視聴制限をするテレビジョン受像機を提供することを目的とする。
【０００６】
【課題を解決するための手段】
この課題を解決するために本発明は、視聴者が近距離や暗い部屋で視聴していると判断したとき視聴制限をする様に構成したものである。
【０００７】
【発明の実施の形態】
本発明の請求項１記載の発明は視聴者が近距離や暗い部屋にいる時に視聴制限を行う様に構成したテレビジョン受像機であり、従来のテレビジョン受像機の様にリモートコントロール送信機から信号を送信することなく視聴の制限を行うことができるという作用を有する。
【０００８】
請求項２に記載の発明は、赤外線センサにより構成された人位置検出部を有し、かつ光センサにより構成された部屋の明るさを検出することが可能な光検出部を有し、かつ人位置検出部の情報と光検出部の情報を判断し電源を制御することにより視聴の制限を行う制御装置を設けた請求項１記載のテレビジョン受像機であり、従来のテレビジョン受像機の様にリモートコントロール送信機から信号を送信することなく視聴の制限を行うことができるという作用を有する。
【０００９】
請求項３に記載の発明は前記、制御装置が電源のオフ動作の前に視聴者に警告を行うことを特徴とする請求項２記載のテレビジョン受像機であり、電源を切る前に警告を行うので視聴者は突然電源が切れる為に驚くということがなくなるという作用を有する。
【００１０】
請求項４に記載の発明は、前記、制御装置の電源オフ動作の可否を視聴者が任意に切り換えることが可能である請求項２または請求項３記載のテレビジョン受像機であり、請求項２または請求項３の機能のオン／オフを任意に設定できるという作用を有する。
【００１１】
請求項５に記載の発明は、前記、制御装置の電源オフ動作を映像の表示を行わなくする動作とする請求項２または請求項３または請求項４記載のテレビジョン受像機であり、請求項２または請求項３または請求項４の映像の表示を行わないことにより視聴の制限を行うという作用を有する。
【００１２】
以下、本発明の実施の形態について、図１を用いて説明する。
【００１３】
（実施の形態１）
図１は本発明の実施の形態１におけるテレビジョン受像機の要部ブロック部である。同図においてテレビジョン受像機１の前面にある人位置検出部２は赤外線センサにより構成されており、人が近距離にいる時は人体からの赤外線を検出し、人がテレビジョン受像機１の前面付近にいることを制御装置４に情報として伝える。また、テレビジョン受像機１の前面にある光検出部３は光センサにより構成されており、部屋の明るさを検出し、部屋の明るさを制御装置４に情報として伝える。制御装置４は人位置検出部２の情報と光検出部３の情報を基に人がテレビジョン受像機１の前面の近距離にいる時や、部屋の明るさが暗い時には、テレビジョン受像機１の電源をオフする。
【００１４】
これにより、テレビジョン受像機での視聴において、発病することがまれにある「てんかん」、「光過敏性発作」等の対策として放送事業者が警告している「テレビから離れて明るい部屋で見て下さい。」という視聴条件を守らない時は視聴を制限することができる。
【００１５】
（実施の形態２）
図２は本発明の実施の形態２におけるテレビジョン受像機の要部ブロック部である。同図においてテレビジョン受像機５の前面にある人位置検出部６は赤外線センサにより構成されており、人が近距離にいる時は人体からの赤外線を検出し、人がテレビジョン受像機５の前面付近にいることを制御装置８に情報として伝える。また、テレビジョン受像機５の前面にある光検出部７は光センサにより構成されており、部屋の明るさを検出し、部屋の明るさを制御装置８に情報として伝える。制御装置８は人位置検出部６の情報と光検出部７の情報を基に人がテレビジョン受像機５の前面の近距離にいる時や、部屋の明るさが暗い時には警告装置９により視聴者にテレビジョン受像機５への距離が近距離であるか、部屋の明るさが暗いことを警告により知らせる。また、その状態が一定時間以上継続した時は、テレビジョン受像機５の電源をオフする。
【００１６】
これにより、テレビジョン受像機での視聴において、発病することがまれにある「てんかん」、「光過敏性発作」等の対策として放送事業者が警告している「テレビから離れて明るい部屋で見て下さい。」という視聴条件を守らない時は視聴を制限することができる。
【００１７】
（実施の形態３）
図３は本発明の実施の形態３におけるテレビジョン受像機の要部ブロック部である。同図においてテレビジョン受像機１０の前面にある人位置検出部１１は赤外線センサにより構成されており、人が近距離にいる時は人体からの赤外線を検出し、人がテレビジョン受像機１０の前面付近にいることを制御装置１３に情報として伝える。また、テレビジョン受像機１０の前面にある光検出部１２は光センサにより構成されており、部屋の明るさを検出し、部屋の明るさを制御装置１３に情報として伝える。制御装置１３は人位置検出部１１の情報と光検出部１２の情報を基に人がテレビジョン受像機１０の前面の近距離にいる時や、部屋の明るさが暗い時、且つ記憶装置１５に記憶されている視聴者の機能の有効と無効の設定が有効をなっている場合には、警告装置１４により視聴者にテレビジョン受像機１０への距離が近距離であるか、部屋の明るさが暗いことを警告により知らせるが、その状態が一定時間以上継続した時には、テレビジョン受像機１０の電源をオフする。
【００１８】
これにより、テレビジョン受像機での視聴において、発病することがまれにある「てんかん」、「光過敏性発作」等の対策として放送事業者が警告している「テレビから離れて明るい部屋で見て下さい。」という視聴条件を守らない時は視聴を制限することができる。
【００１９】
なお、視聴者への警告を行う手段として警告装置１４からの制御によるＬＥＤ表示やＯＳＤ表示が考えられる。
【００２０】
なお、視聴者への警告を一定時間行い、警告を行っている間に警告を行う条件が適応されなくなった時には電源オフの制限を行わなくするようにしても良い。
【００２１】
なお、視聴の制限については電源オフの他に映像を表示しなくするという動作も考えられる。
【００２２】
なお、本発明の近距離とは、「てんかん」、「光過敏性発作」等の発病しやすい距離のことであり、部屋の明るさが暗い時とは、「てんかん」、「光過敏性発作」等が発病しやすい暗さのことである。
【００２３】
【発明の効果】
以上のように本発明によれば、テレビジョン受像機での視聴において、視聴条件を守りテレビジョン受像機を視聴することができるという有利な効果が得られる。
【図面の簡単な説明】
【図１】本発明の実施の形態１の形態におけるテレビジョン受像機を示す図
【図２】本発明の実施の形態２の形態におけるテレビジョン受像機を示す図
【図３】本発明の実施の形態３の形態におけるテレビジョン受像機を示す図
【符号の説明】
１　テレビジョン受像機
２　人位置検出部
３　光検出部
４　制御装置
５　テレビジョン受像機
６　人位置検出部
７　光検出部
８　制御装置
９　警告装置
１０　テレビジョン受像機
１１　人位置検出部
１２　光検出部
１３　制御装置
１４　警告装置
１５　記憶装置
【図１】
2004120049.tif 000003
【図２】
2004120049.tif 000004
【図３】
2004120049.tif 000005